(57)【要約】【課題】使用者の意図どおりに支持ピンを動かしたり止めたりすることができる食器かごを提供すること。【解決手段】複数の支持ピン４ａを有する一対の支持部４０ａ、４０ｂで回動軸部４ｂのまわりにそれぞれ回動可能に構成し、回動させることで食器類を保持可能な第１の載置部４１と第２の載置部４２を選択可能に構成した食器かごにおいて、支持ピン４ａは、回動途中でも自立可能に構成したので、回動可能な支持ピン４ａに使用者の意図に反して手指が当接したとしても、支持ピン４ａが完全には倒れず、使用者が意図した回動をさせることを可能とすることで、使用者の意図どおりに支持ピン４ａを動かしたり止めたりすることができる。【選択図】図１
2020036707.tif 000002
【特許請求の範囲】
【請求項１】
複数の支持ピンを有する一対の支持部で回動軸部のまわりにそれぞれ回動可能に構成し、回動させることで食器類を保持可能な第１の載置部と第２の載置部を選択可能に構成した食器かごにおいて、
前記支持ピンは、回動途中でも自立可能に構成したことを特徴とする食器かご。
【請求項２】
前記回動軸部は曲げ部を有し、回動時に前記回動軸部を受ける回動軸受け部に規制されるように構成した請求項１に記載の食器かご。
【請求項３】
前記支持ピンは曲げ形状を有し、前記支持ピンを回動不能まで起立させた状態で前記支持ピンの先端部は下方に傾斜する構成とした請求項１または２に記載の食器かご。
【請求項４】
洗浄槽と、食器類を洗浄する洗浄手段と、前面開口部を覆う扉部と、請求項１〜３のいずれか１項の食器かごとを備え、前記支持ピンの少なくとも一部が前記前面開口部に相対しており、前記支持部の回動方向は前後方向とした食器洗い機。
【発明の詳細な説明】
【技術分野】
【０００１】
本発明は食器かごおよび洗浄ノズルより食器に向けて洗浄水を噴射して食器を洗浄する食器洗い機に関するものである。
【背景技術】
【０００２】
従来、この種の食器かごにおいて、食器かごは、条体に複数の支持ピンを有する一対の支持部で構成された載置部に食器を配置して保持し、一対の支持部は回動軸部のまわりにそれぞれ回動可能に構成されている。（例えば、特許文献１参照）。
【先行技術文献】
【特許文献】
【０００３】
【特許文献１】特開２００５−３３４５５２号公報
【発明の概要】
【発明が解決しようとする課題】
【０００４】
しかしながら、このような従来の食器かごでは、食器を食器かごの支持ピンに配置収容する際、使用者が意図せず支持ピンに手指が当接してしまうと、支持ピンが簡単に倒れてしまって、完全に倒れた支持ピンを再度起こして食器を配置収容しなければならず、使用者にとって煩わしいという問題を有していた。
【０００５】
本発明は、上記従来の課題を解決するもので、回動可能な支持ピンが使用者の意図に反して完全には倒れず、使用者が意図した回動をさせることで、使用者の意図どおりに支持ピンを動かしたり止めたりすることができる食器かごを提供することを目的としている。
【課題を解決するための手段】
【０００６】
本発明は上記目的を達成するために、複数の支持ピンを有する一対の支持部で回動軸部のまわりにそれぞれ回動可能に構成し、回動させることで食器類を保持可能な第１の載置部と第２の載置部を選択可能に構成した食器かごにおいて、前記支持ピンは、回動途中でも自立可能に構成したものである。
【０００７】
これにより、回動可能な支持ピンが使用者の意図に反して完全には倒れず、使用者が意図した回動をさせることで、使用者の意図どおりに支持ピンを動かしたり止めたりすることができるものである。
【発明の効果】
【０００８】
本発明の食器かごは、回動可能な支持ピンに使用者の意図に反して手指が当接したとしても、支持ピンが完全には倒れず、使用者が意図した回動をさせることを可能とすることで、使用者の意図どおりに支持ピンを動かしたり止めたりすることができる。
【図面の簡単な説明】
【０００９】
【図１】本発明の実施の形態１の食器かごの支持ピンを回動不能まで起立させた状態の外観斜視図
【図２】同食器かごの支持ピンを回動不能まで起立させた状態の平面図
【図３】同食器かごの支持ピンを回動不能まで起立させた状態の側面図
【図４】同食器かごの支持ピンを完全に倒した状態の外観斜視図
【図５】同食器かごの支持ピンを完全に倒した状態の平面図
【図６】同食器かごの支持ピンを途中で起立させた状態の外観斜視図
【図７】同食器かごの支持部における回動軸部の曲げ部の要部拡大図
【図８】同食器かごの支持ピンを回動不能まで起立させた状態で食器を配置収容した状態の外観斜視図
【図９】同食器かごの支持ピンを完全に倒した状態で食器を配置収容した状態の外観斜視図
【図１０】本発明の実施の形態２における食器かごを食器洗い機に収容し、扉部を開成した状態の正面図
【図１１】同食器かごを食器洗い機に収容し、扉部を開成した状態の要部側断面図
【発明を実施するための形態】
【００１０】
第１の発明は、複数の支持ピンを有する一対の支持部で回動軸部のまわりにそれぞれ回動可能に構成し、回動させることで食器類を保持可能な第１の載置部と第２の載置部を選択可能に構成した食器かごにおいて、前記支持ピンは、回動途中でも自立可能に構成したことにより、回動可能な支持ピンが使用者の意図に反して完全には倒れず、使用者が意図した回動をさせることで、使用者の意図どおりに支持ピンを動かしたり止めたりすることができる。
【００１１】
第２の発明は、上記第１の発明において、前記回動軸部は曲げ部を有し、回動時に前記回動軸部を受ける前記回動軸受け部に規制されるように構成したことにより、支持ピンは、回動途中でも自立可能に構成され、回動可能な支持ピンが使用者の意図に反して完全には倒れず、使用者が意図した回動をさせることで、使用者の意図どおりに支持ピンを動かしたり止めたりすることができる。
【００１２】
第３の発明は、上記第１または第２の発明において、前記支持ピンは曲げ形状を有し、前記支持ピンを回動不能まで起立させた状態で前記支持ピンの先端部は下方に傾斜する構成としたことにより、例えば、支持ピンを垂直状態まで起立させた状態のときに、支持ピンが回動不能まで起立させる方向に力がかかるので、使用者の意図に反して支持ピンが完全に倒れる方向に手指が当接したとしても、支持ピンが完全に倒れてしまう方向へ回動しにくくすることができる。
【００１３】
第４の発明は、上記第１〜第３のいずれかの発明の食器かごと、洗浄槽と、食器類を洗浄する洗浄手段と、前面開口部を覆う扉部とを備え、前記支持ピンの少なくとも一部が前記前面開口部に相対しており、前記支持部の回動方向は前後方向とした食器洗い機としたことにより、食器洗い機の扉部を開けた状態で前面開口部から食器を食器かごに配置収容する際に、回動可能な支持ピンに使用者の意図に反して手指が当接したとしても、支持ピンが完全には倒れず、使用者が意図した回動をさせることを可能とすることで、使用者の意図どおりに支持ピンを動かしたり止めたりすることができる。
【００１４】
以下、本発明の実施の形態について、図面を参照しながら説明する。なお、この実施の形態によって本発明が限定されるものではない。
【００１５】
（実施の形態１）
図１は本発明の実施の形態１における食器かごの支持ピンを回動不能まで起立させた状態の外観斜視図、図２は同食器かごの支持ピンを回動不能まで起立させた状態の平面図、図３は同食器かごの支持ピンを回動不能まで起立させた状態の側面図である。
【００１６】
図１において、食器かご４は、ステンレス等の金属の線材よりなる複数の条体４ｆを適宜組み合わせ、要所を溶接等により互いに固着して構成されている。
【００１７】
複数の条体４ｆの互いに隣接する２本の条体４ｆ間をつないで構成され、それぞれの条
体４ｆに近い側２か所を円弧状に隆起させて回動軸受け部４ｅを形成した１対の条体４ｇが条体４ｆに溶接等により固着されている。
【００１８】
そして、複数の支持ピン４ａを所定の間隔で溶接された回動軸部４ｂが、そのほぼ両端部分で上記１対の条体４ｇの回動軸受け部４ｅ間に挿入されており、条体４ｇの回動軸受け部４ｅまわりに回動可能に軸支されて、食器類を配置保持する支持部４０ａを構成している。
【００１９】
また回動軸部４ｂは、回動軸部４ｂとは略直角方向かつ水平方向に伸びる複数本の回動軸部支持体４ｐにより下方から支えられ、同時に回動軸部４ｂは回動軸受け部４ｅにより上方から押えられるように構成している。
【００２０】
また回動軸部４ｂには、所定の角度で支持部４０ａの回動を規制するための回動規制ピン４ｃが溶接されている。この回動規制ピン４ｃは、回動規制された位置にて支持ピン４ａで食器類を保持可能とするため、支持ピン４ａとは位相を異ならせた位置で回動軸部４ｂに固着されている。本実施の形態では、支持ピン４ａと回動規制ピン４ｃのなす角度は約４５°程度としている。
【００２１】
また、回動軸部４ｂが回動軸受け部４ｅから軸方向に抜けないように、回動軸部４ｂを軸方向に動かすと、支持ピン４ａまたは回動規制ピン４ｃが回動軸受け部４ｅに当接することで、回動軸部４ｂが回動軸受け部４ｅから軸方向に抜けない構成となっている。
【００２２】
そして、支持部４０ａと同じ構成より成る支持部４０ｂを支持部４０ａに対向させて設けている。支持部４０ｂを組み立てる際には、条体４ｇにおいて円弧状に隆起させた２か所の回動軸受け部４ｅのもう１か所に、回動軸部４ｂを支持部４０ａと略平行となるように挿入している。したがって、支持部４０ｂは、支持部４０ａとは鏡面対称な形状となっている。
【００２３】
なお本実施の形態においては、図１や図２に示すとおり、１対となる支持部４０ａと支持部４０ｂを食器かご４においてもう１対設置している。すなわち２対の支持部４０ａと支持部４０ｂを設置しているが、食器かご４に支持部４０ａと支持部４０ｂを１対だけ設置していてもよいし、３対以上設置していてもよい。
【００２４】
図１〜図３に示すように、この一対の支持部４０ａ、４０ｂを、回動軸部４ｂの回動規制ピン４ｃが条体４ｆに当接してそれ以上回動不能な位置までそれぞれ回動させると、起立したそれぞれの支持ピン４ａでお皿などの薄底の食器類を保持することができる第１の載置部４１が形成される。
【００２５】
また、図３に示すように、一対の支持部４０ａ、４０ｂの複数の支持ピン４ａのうち、少なくとも１対の支持ピン４ａに曲げ形状を有しており、この一対の支持部４０ａ、４０ｂを、回動軸部４ｂの回動規制ピン４ｃが条体４ｆに当接してそれ以上回動不能な位置までそれぞれ回動させて支持ピン４ａを起立させると、支持ピン４ａの先端部４ｋが下方に傾斜するように構成されている。前記曲げ形状の曲げ角度は９０°程度であるが、図３の状態における支持ピン４ａと条体４ｇとの鋭角は６０°程度で構成されている。
【００２６】
したがって、例えば、支持ピン４ａを垂直状態まで起立させた状態のときに、支持ピン４ａに意図せずに使用者の手指が接触して支持ピン４ａが完全に倒れる方向に力が加わったとしても、図３の状態である支持ピン４ａを起立させる方向に力が加わるので、支持ピン４ａが完全に倒れてしまう方向へ回動しにくくなる効果がある。
【００２７】
なお、支持ピン４ａに曲げ形状を有して先端部４ｋを下方に傾斜する構成については、すべての支持ピン４ａをそのような構成にする必要はなく、食器の形状に応じて他の支持ピン４ａのように曲げ形状を有さない直線状の支持ピン４ａもあってよい。また、支持ピン４ａを起立させた状態における支持ピン４ａの高さについても食器等に応じて種々変えてもよい。
【００２８】
また本実施の形態においては、１対となる支持部４０ａと支持部４０ｂを食器かご４においてもう１対設置している。すなわち２対の支持部４０ａと支持部４０ｂを設置しているので、支持ピン４ａに曲げ形状を有して先端部４ｋを下方に傾斜する構成については、２対の支持部４０ａと支持部４０ｂのどちらにも設置してよいし、どちらか１対に設置してもよい。
【００２９】
図４は本発明の実施の形態１における食器かごの支持ピンを完全に倒した状態の外観斜視図である。図５は同食器かごの支持ピンを完全に倒した状態の平面図である。
【００３０】
図４に示すように、一対の支持部４０ａ、４０ｂを、一方の回動軸部４ｂの支持ピン４ａを完全に倒してそれぞれ他方の回動軸部４ｂに当接する位置まで回動させると、すべての支持ピン４ａがほぼ水平な位置に来て第２の載置部４２を形成し、食器かご４全体としては、図４や図５に示すように底部全体がほぼフラットな食器かご４とすることができる。
【００３１】
図５に示すように、一対の支持部４０ａ、４０ｂの支持ピン４ａを倒したときにそれぞれの支持ピン４ａどうしが干渉しないよう、支持部４０ａと支持部４０ｂのいずれかの回動軸部４ｂを軸方向にずらせるように、回動軸受け部４ｅに最も近い位置にある支持ピン４ａまたは回動軸受け部４ｅに最も近い位置にある回動規制ピン４ｃが回動軸受け部４ｅと最大に離間した状態から、上記の支持ピン４ａまたは上記の回動規制ピン４ｃが回動軸受け部４ｅに当接するまでの距離は、支持ピン４ａのピン径や回動規制ピン４ｃのピン径以上の距離を有している。
【００３２】
これにより、食器かご４の支持部４０ａと支持部４０ｂは、互いの複数の支持ピン４ａを回動軸部４ｂの軸方向において相対する位置に配設するとともに、回動軸部４ｂを軸方向に移動可能とした構成にしている。
【００３３】
また、図４の食器かごの支持ピンを完全に倒した状態では、支持ピン４ａに曲げ形状を有して先端部４ｋを設けている支持ピンがあるため、先端部４ｋが大型のどんぶり等の食器を支持するための支持ピンとしての役割を果たす。回動規制ピン４ｃも同様に支持ピンとしての役割を果たす。
【００３４】
以上のように、本実施の形態においては、一対の支持部４０ａ、４０ｂは、支持ピン４ａを回動軸部４ｂのまわりにそれぞれ回動可能に構成したことにより、食器を配置保持する支持部の形状を変化させることができるので、配置収容できる食器の形状寸法の制約が少なくなり、食器や調理器具を効率良く配置収容し洗浄することができる。
【００３５】
また、一対の支持部４０ａ、４０ｂをともに回動規制ピン４ｃを条体４ｆに当接させて回動規制することにより食器類を保持可能な第１の載置部４１を形成し、一対の支持部４０ａ、４０ｂをともに支持ピン４ａを回動軸部４ｂに当接させて回動規制することにより食器類を保持可能な第２の載置部４２を形成するよう構成したことにより、選択可能な２種類の載置部を安定した構成として実現することができる。
【００３６】
また、回動規制ピン４ｃは、回動軸部４ｂに固着したことにより、第１の載置部４１の
形成に際し、支持ピン４ａを安定させることができるので、食器を安定した状態で載置保持することができる。
【００３７】
また、支持部４０ａの支持ピン４ａを支持部４０ｂの回動軸部４ｂに当接させ、支持部４０ｂの支持ピン４ａを支持部４０ａの回動軸部４ｂに当接させて回動規制するよう構成することにより、第２の載置部４２の形成に際し、支持ピン４ａを回動規制するための特別な部材を必要とせずに、食器を安定した状態で載置保持することができる。
【００３８】
また、２種類の載置部４１、４２のいずれか一方から他方に形状を変更するに際しては、そのままの状態で回動軸部４ｂを回動させたのでは、互いの支持ピン４ａ同士が干渉して接触するので、一対の支持部４０ａ、４０ｂのいずれかの回動軸部４ｂを軸方向に移動させた後に回動させるとお互いに干渉せずにスムーズに載置部の形成作業を行うことができる。
【００３９】
図６は本発明の実施の形態１における食器かごの支持ピンを途中で起立させた状態の外観斜視図である。
【００４０】
回動軸部４ｂは、回動軸部４ｂとは略直角方向かつ水平方向に伸びる複数本の回動軸部支持体４ｐにより下方から支えられ、同時に回動軸部４ｂは回動軸受け部４ｅにより上方から押えられるように構成しているので、回動軸受け部４ｅと回動軸部支持体４ｐとの高低差が小さいほど回動軸部４ｂが締め付けられることとなるので、回動軸受け部４ｅと回動軸部支持体４ｐにより回動軸部４ｂを締め付ける構成とすれば、回動軸受け部４ｅと回動軸部４ｂとの間および回動軸部支持体４ｐと回動軸部４ｂとの間の摩擦力が強まるので、支持ピン４ａは、回動途中でも自立可能に構成することができる。
【００４１】
このように構成すれば、回動可能な支持ピン４ａが使用者の意図に反して完全には倒れず、使用者が意図した回動をさせることで、使用者の意図どおりに支持ピン４ａを動かしたり止めたりすることができる。
【００４２】
図７は本発明の実施の形態１における食器かごの支持部における回動軸部の曲げ部の要部拡大図である。
【００４３】
支持ピン４ａを回動途中でも自立可能に構成する有効手段として、図７のように、回動軸部４ｂの端部を回動軸受け部４ｅに向けて回動軸受け部４ｅを巻くように曲げる曲げ部４ｉを構成する手段がある。このように構成すると、回動軸受け部４ｅと回動軸部４ｂとの間の摩擦力が強まり、支持ピン４ａの回動時に曲げ部４ｉの折り曲げ部分が回動軸部４ｂを受ける回動軸受け部４ｅに規制され、回動軸部支持体４ｐと回動軸部４ｂとの間の摩擦力にそれほど頼らずとも、支持ピン４ａは、回動途中でも自立可能に構成することができる。
【００４４】
この構成では、回動軸受け部４ｅと回動軸部支持体４ｐとの高低差をそれほど小さくしなくてもよいので、食器かご４を組み立てる際に、回動軸部４ｂを回動軸受け部４ｅに通しやすくなり、回動軸部４ｂを回動軸受け部４ｅに通してから回動軸部４ｂの端部を曲げる曲げ部４ｉを構成するようにすれば、食器かご４組み立て時の組み立てが容易になる効果もある。
【００４５】
なお、曲げ部４ｉと回動軸部４ｂとの鋭角は１０°程度にしているが、８°〜２０°程度であれば同様の効果を発揮できる。
【００４６】
このように構成すれば、回動可能な支持ピン４ａが使用者の意図に反して完全には倒れ
ず、使用者が意図した回動をさせることで、使用者の意図どおりに支持ピン４ａを動かしたり止めたりすることができる。
【００４７】
なお、２対の支持部４０ａと支持部４０ｂを設置しているので、この曲げ部４ｉの構成については、２対の支持部４０ａと支持部４０ｂのどちらにも設置してよいし、どちらか１対に設置してもよい。
【００４８】
図８は本発明の実施の形態１における食器かごの支持ピンを回動不能まで起立させた状態で食器を配置収容した状態の外観斜視図である。上記図１〜図３の状態で、小物入れ９を食器かご４に設置し、起立したそれぞれの支持ピン４ａでお皿などの薄底の食器３を多数保持することができる。
【００４９】
図９は本発明の実施の形態１における食器かごの支持ピンを完全に倒した状態で食器を配置収容した状態の外観斜視図である。上記図４〜図５の状態で、小物入れ９を食器かご４に設置し、起立した支持ピン４ａの先端部４ｋや起立した回動規制ピン４ｃで大型のどんぶりや鍋などの食器３を保持することができる。
【００５０】
（実施の形態２）
図１０は本発明の実施の形態２における食器かごを食器洗い機に収容し、扉部を開成した状態の正面図、図１１は同食器かごを食器洗い機に収容し、扉部を開成した状態の要部側断面図である。食器かご４の構成については、上記実施の形態１と同じである。
【００５１】
図１０および図１１において、食器洗い機の洗浄槽１の底部や後面に食器類を洗浄する洗浄手段としてのノズル２を配置している。洗浄槽１の底部に配置されているノズル２の上方に食器かご４が配置される。さらに食器かご４には小物入れ９が配置されている。
【００５２】
また、食器洗い機の前面に前面開口部１１が形成され、この前面開口部１１を閉成する扉部１０が設けられている。扉部１０は開閉自在に構成され、食器の洗浄時は前面開口部１１を覆うことで洗浄水が食器洗い機から飛び出さないようにしている。
【００５３】
食器の洗浄時は、水道水などで洗浄槽１に洗浄水が貯められ、図示しない洗浄ポンプによってノズル２に洗浄水を組み上げ、ノズル２から噴射された洗浄水が食器かご４に配置収容された食器に当たることで食器を洗浄する構成となっている。食器の配置例については、実施の形態１で説明した図８または図９のとおりである。
【００５４】
食器かご４の支持部４０ａ、４０ｂは、実施の形態１における図１〜図３の状態のように、ここでは食器かご４の支持ピン４ａを回動不能まで起立させた状態にしてある。
【００５５】
さらに支持部４０ａ、４０ｂの回動方向は、食器洗い機の前後方向となるように、食器かご４を食器洗い機に設置している。したがって、使用者は食器を食器洗い機の横方向（左右方向）に並べていくこととなるので、前後方向に並べるよりも並べやすい構成になっている。また、図１０のとおり、扉部１０を開成した状態において、支持部４０ａの支持ピン４ａの少なくとも一部が前面開口部１１に相対している。
【００５６】
このような状態で使用者が食器を食器かご４に配置収容する際、支持ピン４ａが前面開口部１１に相対しているので、使用者は目視で食器を食器かご４の支持ピン４ａに前面開口部１１の正面からでも斜め上方からでも配置収容しやすい構成となっている。
【００５７】
それと同時に、食器を食器かご４の支持ピン４ａに配置収容する際、使用者が意図せず支持ピン４ａに手指が当接してしまうことも起こりうる。そうすると、支持ピン４ａが簡
単に倒れてしまって、完全に倒れた支持ピン４ａを再度起こして食器を配置収容しなければならず、使用者にとって煩わしいという問題があったが、実施の形態１における食器かご４の構成を採用することにより、食器洗い機の扉部１０を開けた状態で前面開口部１１から食器を食器かご４に配置収容する際に、回動可能な支持ピン４ａに使用者の意図に反して手指が当接したとしても、支持ピン４ａが完全には倒れず、使用者が意図した回動をさせることを可能とすることで、使用者の意図どおりに支持ピン４ａを動かしたり止めたり元に戻したりすることができる。
【００５８】
このような効果に加え、支持ピン４ａに前面開口部１１の正面からでも斜め上方からでも配置収容しやすい構成、かつ食器を食器洗い機の横方向（左右方向）に並べていく並べやすい構成とも相俟って、本発明における食器かご４は使用者にとって使い勝手の点で非常に優れた効果を発揮する。
【産業上の利用可能性】
【００５９】
以上のように、本発明にかかる食器かごは、食器かごに配置収容する食器を効率的に配置収容して洗浄することが可能となるので、食器かごを有する食器洗い機等に有用である。
【符号の説明】
【００６０】
１  洗浄槽
２  ノズル
３  食器
４  食器かご
４ａ  支持ピン
４ｂ  回動軸部
４ｃ  回動規制ピン
４ｅ  回動軸受け部
４ｆ、４ｇ  条体
４ｉ  曲げ部
４ｋ  先端部
４ｐ  回動軸部支持体
９  小物入れ
１０  扉部
１１  前面開口部
４０ａ、４０ｂ  支持部
４１  第１の載置部
４２  第２の載置部
【図１】
2020036707.tif 000003
【図２】
2020036707.tif 000004
【図３】
2020036707.tif 000005
【図４】
2020036707.tif 000006
【図５】
2020036707.tif 000007
【図６】
2020036707.tif 000008
【図７】
2020036707.tif 000009
【図８】
2020036707.tif 000010
【図９】
2020036707.tif 000011
【図１０】
2020036707.tif 000012
【図１１】
2020036707.tif 000013